(57)【要約】      （修正有）【課題】針を安全に使用できるように、針の長さ、種別、本数等が一目で判り、また、針の取出し、そしてその針を元の位置に戻す操作が簡単にできる安全な針収納保管器具を提供する。【解決手段】針の長さと種別毎に針を収納出来る各種針収納管を作成し、各針収納管の下部に磁石を取り付けて、各針収納管に挿入される針の針先を磁石に付着させて、針を固定して保管管理する。針の長さ、種類に対応した各種の各針収納管を作成し、針の長さと種別ごとの針を各収納保管で保管管理する。また、半円形の針の収納には、半円形の針収納管を作成して保管、管理する。各種の針を収納された各針収納管を針収納管盤に配置、設置することにより各針収納管の針の保管状況が一覧でき、全体の針の保管状況が判るので使いたい針を針収納管から容易に取出し、使用後は元の針収納管に安全に戻すことができる。【選択図】図２５
2014100449.tif 000002
【特許請求の範囲】
【請求項１】
針収納管の下部に磁石を付した各種の針を収納出来る、各種針収納管を作成し、その針収納管に各種の針を収納した各種針収納管を配置、設置した針収納管盤をケース収めた針収納保管器具
【発明の詳細な説明】
【技術分野】
【０００１】この発明は針の保管状態を判り易く、針を簡単に使用出来るように、針の長さと、種類を分類して針を保管する針収納保管器具で、各種の針を保管する針収納管を作成し、その針収納管の下部に磁石を付し、針収納管に挿入される針の針先を磁石に接触付着させて針を安定保管する、針の長さに対応した長さの相違する各針収納管や、特殊な針用の針収納管等を、スポンジ等のマット盤（以後このマット盤に各種針収納管を配置設置されたマット盤を針収納管盤と表示する）に配置設置した針収納保管器具である。
【背景技術】
【０００２】現在使用されている針を収納する器具は、主に布に綿、糠等を詰め込んだ針山等の針保管器具を使用している、針山等の針保管器具は針の種類や長さの区分が判り難く、長い針の保管もできない、また埋もれている短い針の有無も判り難く指を刺す危険性もある、これに対して、針の長さ、種類等を整理し、安全に保管して使い易い針収納保管器具を考案した。
【発明の概要】
【発明が解決しようとする課題】
【０００３】下記事項を課題とする
・針の保管管理が容易で針を安全に使用できる針収納保管器具であること
・長さや、種類が相違する針、針の本数等の保管状況が一覧が出来、判り易い針収納保管器具であること
・針の長さや、種別の違う針の出し入れが安全、容易にできる針収納保管器具であること
【課題を解決するための手段】
【０００４】針の安全な針保管をするために、針を収納する各種針収納管の下部に磁石を取り付けその磁力で挿入された針の針先を磁石に接触させ、固定、安定保管する、例えば針収納管が逆さまになっても針は磁石に付着し、安定固定している。針の長さや種別の相違に対しては、針の長さに対応する各種針収納管を設けて種々の針を収納する、特殊な半円形の針には半円形の針収納管を設けて収納させる。
針収納管の種類は、下記のとおりである
・長い針が収納出来る針収納管（符号８、９の少し長さの相違する２本の針収納管を設置）が長いので直立設置せずに、針収納管を斜めに設置して針収納管盤のカバーの高さを低くした。
・半円形の針の針収納管（符号４）の針の出し入れを容易にするために針収納管を横向きにして磁石の位置を針収納管盤の中央近くに設置
・長い針、半円形の針以外の針は本数が多いので、中ぐらいの針、短い針、待ち針等、針の長さに対応した長さの針収納管を設け直立させて設置した。
【発明の効果】
【０００５】次の事項の効果がある
・針を使う時、針の長さと種別の相違する針を収納、保管する各針収納管が針収納管盤に設置保管されていて針の種別が一目で判るので、使いたい針を容易に取出し、そして使用後はその針を元あった針収納管に容易に戻せることが出来る、
・各針収納管に保管された針は針収納管の下部の磁石に針先が付着して安定して針保管が出来る
・この針収納保管器具全体の収納保管する種々の針の本数は１００本以上の多数の針を収納できて、常時針の保管状況が明確に把握出来る
・図７に図１９に表示した針収納管盤の下部に付した鉄板は各針収納管の下部にある磁石の針を付着する磁力は弱めないが、針収納保管器具の外部への磁力の影響することを防止する、また鉄板は各針収納管の磁石と付着することで針収納管盤を安定させる
・針収納管盤の下部に糸、小型はさみ等が入る小物入れを設けて便利さを増した。
【図面の簡単な説明】
【０００６】
【図１】針収納盤を上部から見た図面（以下図１１、１３、２３、２５以外の図面は針収納盤のカバーを除いた図面とする）
【図２】正面図（針収納管台に針収納管を挿入して見えない部分を斜線表示しまた磁石の部分を黒く塗りつぶして表示する、以下図面も同様）
【図３】左側面図
【図４】後部側面図
【図５】右側面図
【図６】各針収納管を配置、設置した針収納管盤の側面図で、針収納保管器具の完成までの組み立ての流れを図面６から図面１３までに表示した
【図７】鉄板を表示
【図８】針収納管盤をはめ込む蓋（下部の小物入れと同様の容器を逆さにした状態で上部の部分に取り付けているので、この部分は容器の蓋の部分にあたるので蓋と表示する以下同様）
【図９】図６、図７、図８の部分が積み重なった図である。
【図１０】図９の針収納管盤をカバーする容器（下部の小物入れと同様の容器を逆さにした状態で上部の部分に取り付けているので、この部分を容器と表示する以下同様）
【図１１】図９の針収納管盤に図１０の上記の容器のカバーを結合した図。
【図１２】図１１の下部に結合させる小物入れの容器。
【図１３】上部の針収納管盤と下部の小物入れの容器が結合された針収納保管器具の完成図である。
【図１４】正面左方向からの斜視図（図１４から図１７の針収納管台の容器カバーの表示は省略）
【図１５】後方右方向からの斜視図
【図１６】後方左方向からの斜視図
【図１７】正面右方向からの斜視図
【図１８】針収納管盤の後方左方向からの斜視図で、針収納保管器具の完成までを図面１８から図面２５に表示した。
【図１９】針収納管盤の下部に付着する鉄板。
【図２０】針収納管盤をはめ込む蓋。
【図２１】図１８、図１９、図２０の部分が積み重なった図である。
【図２２】図２１の針収納管盤をカバーする容器。
【図２３】図２１の針収納盤に図２２の容器を結合させた図である。
【図２４】図２３の針収納管盤の下部に結合させる小物入れの容器。
【図２５】上部の針収納管盤と下部の小物入れの容器が結合した針収納保管器具の完成図である。
【図２６】針収納管盤に配置設置した各針収納管を種類別に表示した図で針の長さに対応した長さの直管の各針収納管と、半円形の針に対する半円形針収納管を表示する。各針収納管の下部には磁石を付し、磁石の部分は黒く表示する。
【図２７】図２６の各針収納管に針を挿入した図面である
【発明を実施するための形態】
【０００７】全体の図は上下二つの容器を併せた形態で、二つの容器の蓋の部分を併せて結合し。上部の部分を針収納管盤、下部の部分を小物入れとした針収納保管器具である。上部の針収納保管器具のみでも一つの品物であるが、下部に小物入れを取り付けてさらに便利さを増した商品とさせた。
【符号の説明】
【０００８】符号１  針収納管盤（符号３）をはめ込む上部容器の蓋の部分である
符号２  符合１の蓋の部分と針収納盤（符号３）との間の溝でこの溝に図１０と図２２の        上部の容器のカバー部分をはめ込む溝である
符号３  各種針収納管を配置設置した針収納管盤である
符号４  半円形の針を収納する針収納管である、針を収納し易いように斜めに設置する
符号５  半円形の針収納管の符号６の針挿入口から針を挿入させ、針を安定付着させる磁        石の部分である
符号６  半円形の針収納管の針の挿入口である、針の挿入が困難のため、この位置から針        を挿入して下部の磁石に針を付して安定保管する。
符号７  半円形の針収納管を安定させる為に設置した支え台である
符号８  針収納保管容器の高さを低くする為、長い針を収納する際に針収納管を斜め設置        した符号９より長めの針収納管である
符号９  符号８に挿入する長い針より少し短い針を収納する針収納管である
符号１０  符合８，９の長い針の針収納管の針の各挿入口である
符号１１  符号８，９の長い針を収納する針に対して、待ち針や短い針の長さに対応した        各種針収納管。短い針は本数が多いので長さの相違する各種針収納管である
符号１２  針収納管盤の下部に付着させる鉄板
符号１３  符合８，９の長い針の針収納管を支える台
【図１】
2014100449.tif 000003
【図２】
2014100449.tif 000004
【図３】
2014100449.tif 000005
【図４】
2014100449.tif 000006
【図５】
2014100449.tif 000007
【図６】
2014100449.tif 000008
【図７】
2014100449.tif 000009
【図８】
2014100449.tif 000010
【図９】
2014100449.tif 000011
【図１０】
2014100449.tif 000012
【図１１】
2014100449.tif 000013
【図１２】
2014100449.tif 000014
【図１３】
2014100449.tif 000015
【図１４】
2014100449.tif 000016
【図１５】
2014100449.tif 000017
【図１６】
2014100449.tif 000018
【図１７】
2014100449.tif 000019
【図１８】
2014100449.tif 000020
【図１９】
2014100449.tif 000021
【図２０】
2014100449.tif 000022
【図２１】
2014100449.tif 000023
【図２２】
2014100449.tif 000024
【図２３】
2014100449.tif 000025
【図２４】
2014100449.tif 000026
【図２５】
2014100449.tif 000027
【図２６】
2014100449.tif 000028
【図２７】
2014100449.tif 000029